(57)【特許請求の範囲】
【請求項１】
コンタクトガラス上の原稿の画像情報を読み取る原稿読み取り部を有する画像読み取り本体部と、該画像読み取り本体部に対して上方に開放可能で、前記コンタクトガラス上に原稿を搬送させる自動原稿給送部と、を備えた画像読み取り装置において、
前記自動原稿給送部が、原稿を前記コンタクトガラスに接触して搬送されるように押さえつける原稿ガイド部材を有するとともに、
前記画像読み取り本体部が、前記原稿読み取り部上で原稿が前記コンタクトガラスに接触するように前記原稿ガイド部材の位置決めを行う位置決めガイド部材を有し、
前記原稿ガイド部材は、搬送方向と上下に稼動できるように前記自動給送部の側板から突き出た軸より大径の穴にて固定されることを特徴とする画像読み取り装置。
【請求項２】
請求項１記載の画像読み取り装置において、
前記原稿ガイド部材と前記位置決めガイド部材の位置決めを行う接触部分を同じ形状にすることを特徴とする画像読み取り装置。
【請求項３】
請求項１または２記載の画像読み取り装置において、
前記位置決めガイド部材が、前記コンタクトガラスを前記画像読み取り本体部に固定する固定部材であることを特徴とする画像読み取り装置。
【発明の詳細な説明】
【０００１】
【発明の属する技術分野】
本発明は、画像読み取り装置に係り、特に、原稿読み取り時の原稿搬送を正確に行い、読み取り精度の良い画像読み取り装置に関する。
【０００２】
【従来の技術】
従来、複写機、ファクシミリ、スキャナー等は、原稿を取り込んでその原稿の情報を読み込んだりするために、上記複写機、ファクシミリ、スキャナー等の装置内部で原稿を移動させる原稿給紙装置を備える。
この原稿給紙装置は、原稿が積載される原稿台、原稿搬送系、原稿排出部等を有しており、原稿搬送系により、原稿台の原稿を１枚ずつ複写機等本体のコンタクトガラス上に搬送し、その情報が読み取られた原稿は、原稿排出部に排出されるようになっている。
【０００３】
このような原稿搬送装置を備えた装置として、特開平７−６４３５９号公報や特開平７−１７５２７９号公報に記載されたものがある。
特開平７−６４３５９号公報や特開平７−１７５２７９号公報に記載された自動原稿給紙装置を持つ画像読み取り装置は、自動原稿給紙装置を用いずに圧板部（コンタクトガラス上に原稿を置き、読み取り部が移動して画像を読み取る部分）で原稿読み取りを行う場合、自動原稿搬送装置を圧板として利用するために上方に開放可能となっている。また、自動原稿搬送装置を用いて原稿を搬送させながら画像情報を読み取る場合でも、紙詰まりの除去や、コンタクトガラスの清掃などの保守用に自動原稿搬送装置を上方へ開放可能になっている。
【０００４】
このような画像読み取り装置は、自動原稿搬送装置を用いて画像を読み取るときのコンタクトガラスに対向する原稿ガイド部材を自動原稿搬送装置側に取り付けられる。このため、自動原稿搬送装置と画像読み取り本体との位置関係を正確に設置しなければ、コンタクトガラスに対しての原稿ガイド部材の位置が正確に決まらない。
【０００５】
【発明が解決しようとする課題】
しかしながら、装置を構成する部品のばらつきや、開放可能とするためのヒンジのガタなどにより正確に位置決めるのは難しい。
読み取り部の原稿ガイド部材とコンタクトガラスの位置関係が正確に位置決めされないと、読み取りのとき、原稿が上下したり、読み取り部の搬送方向前後においてガイド間隔が広まったり狭まったりすると原稿の搬送に影響が出て正確な読み取りが困難になる。
【０００６】
例えば、このような例として、図８に示すように、原稿ガイド部材５０と読み取り位置がずれてしまうことがある。
この場合には、読み取り位置に対し、原稿ガイド部材５０の最下点がずれているため、読み取り位置で原稿５２が上下動し焦点が合わない。
また、図９に示すように、原稿ガイド部材５０の間隔が変化してしまい、不具合が出る場合もある。
【０００７】
この場合には、読み取り部の搬送方法の前後でガイド間隔が広まったり狭まったりするため、その部分で原稿５２の搬送経路長が変わり、読み取り時原稿速度が部分的に速まったり遅くなったりする。したがって、画像情報として短くなったり、長くなったりするため、読み取り精度が安定しないという問題点がある。そこで、本発明は、原稿ガイドの位置を補正する位置決め部材を本体側に設けることにより、原稿給送部と画像読み取り装置本体との位置精度によらずに、原稿ガイドの位置決めを正確に行い、読み取り精度の良い画像読み取り装置を提供することを課題とする。
【０００８】
【課題を解決するための手段】
請求項１記載の発明は、上記課題を解決するため、コンタクトガラス上の原稿の画像情報を読み取る原稿読み取り部を有する画像読み取り本体部と、該画像読み取り本体部に対して上方に開放可能で、前記コンタクトガラス上に原稿を搬送させる自動原稿給送部と、を備えた画像読み取り装置において、前記自動原稿給送部が、原稿を前記コンタクトガラスに接触して搬送されるように押さえつける原稿ガイド部材を有するとともに、前記画像読み取り本体部が、前記原稿読み取り部上で原稿が前記コンタクトガラスに接触するように前記原稿ガイド部材の位置決めを行う位置決めガイド部材を有し、前記原稿ガイド部材は、搬送方向と上下に稼動できるように前記自動給送部の側板から突き出た軸より大径の穴にて固定されることを特徴とするものである。
【０００９】
請求項２記載の発明は、上記課題を解決するため、請求項１記載の画像読み取り装置において、前記原稿ガイド部材と前記位置決めガイド部材の位置決めを行う接触部分を同じ形状にすることを特徴とするものである。
請求項３記載の発明は、上記課題を解決するため、請求項１または２記載の画像読み取り装置において、前記位置決めガイド部材が、前記コンタクトガラスを前記画像読み取り本体部に固定する固定部材であることを特徴とするものである。
【００１０】
【発明の実施の形態】
以下、本発明の好ましい実施の形態について、添付図面を参照しつつ説明する。
本発明に係る画像読み取り装置３０は、図１に示すように、本体３１および自動原稿給送部３２からなる。本体３１は、読み取り部１０を備え、自動原稿給送部３２は、原稿テーブル２，給紙ガイド板３，底板４，呼び出し部材５，給紙部材６，分離部材７，搬送ローラ８，搬送従動ローラ８ａ，レジストセンサ９，中間搬送ローラ１１，中間従動ローラ１１ａ、排紙ローラ１２，排紙下従動ローラ１２ａ，排紙上従動ローラ１２ｂ，排紙センサ１３，切替爪１４，排紙部１５，反転ローラ１６，反転従動ローラ１６ａ，中間トレイ１７，反転センサ１８および第一搬送経路２１，第二搬送経路２２，第三搬送経路２３，第四搬送経路２４を備えている。また、原稿テーブル２上に原稿１が積載される。
【００１１】
原稿テーブル２上に第１画像面を上向きにして積み重ねられた原稿１は、図示しない本体からの信号により、最上位の原稿から一枚ずつ順に、第一搬送経路２１を通って読み取り部１０の上に、供給される。以下にその動作手順を説明する。
原稿１の先端は、給紙ガイド板３に突き当たることにより位置決めされる。
【００１２】
底板４は、本体からの給紙開始信号により図示していないＳＯＬにより矢印Ａ方向へ上昇し、原稿１を下から呼び出し部材５に加圧する。加圧された原稿１は、呼び出し部材５によって給紙部材６および分離部材７からなる分離部へ搬送され、最上位から１枚ずつ分離される。
上昇した底板４は、給紙開始から一定時間後、あるいは、後述のレジストセンサ９にて原稿先端を検知後に、下降する。下降することで、原稿１に加わる底板４と呼び出し部材５の間の圧力が開放され、搬送中の原稿の第２画像面が、次原稿の第一画像面に擦り付けられる時間を短縮できる。給紙開始から一定時間後に底板４を下降させる場合は、極力短い時間に設定することが望ましい。
【００１３】
原稿１が片面画像（第一画像面）のみの場合は、第二画像面がないので底板４を下降させなくても良い。片面読み取りか両面読み取りであるかは、使用者が設定することができる。
分離された原稿１は、搬送ローラ８，搬送従動ローラ８ａとを有する第一搬送経路２１に搬送される。レジストセンサ９は、原稿先端を検知し、本体３１の読み取り部１０への原稿先端通過と画像読み取り開始とのタイミングを合わせる。原稿給送後、一定時間経過しても原稿先端がレジストセンサ９に到達しない場合は、ジャムと判断される。
【００１４】
第一画像面のみの読み取り（片面モード）の場合は、原稿１は、読み取り部１０にて画像が読み取られた後、中間搬送ローラ１１，中間従動ローラ１１ａ、排紙ローラ１２，排紙下従動ローラ１２ａとを有する第二搬送経路２２を通り、排紙部１５へ排紙される。排紙センサ１３は、一定時間経過しても原稿先端が排紙センサ１３に到達しない場合、または、一定時間経過しても原稿後端が排紙センサ１３を通過しない場合、ジャムと判断される。切替爪１４は、通常、Ｂの位置に保持されている。
【００１５】
第一画像面および第二画像面読み取り（両面モード）の場合は、第一画像面読み取り後、第二搬送経路２２を通り排紙センサ１３に原稿先端が到達したのを検知して、あるいは、レジストセンサ９による検知時からのタイミングにより切替爪１４が、図示していないＳＯＬによりＢ’の位置に下降し、反転ローラ１６，反転従動ローラ１６ａとを有する第三搬送経路２３を通り、中間トレイ１７上に搬送される。一定時間経過しても原稿が反転センサ１８に到達しない場合、ジャムと判断される。
【００１６】
切替爪１４は、原稿後端が排紙センサ１３を通過し、一定時間（原稿後端が排紙ローラ１２を通過し、切替爪１４上に達するまでの時間）経過した後、図示していないＳＯＬが解除されることにより、Ｂの位置に復帰する。切替爪１４復帰後、反転ローラ１６が逆転し、原稿先端は排紙ローラ１２と排紙上従動ローラ１２ｂとのニップ部に進入する。このときの排紙ローラ１２は停止しており、いわゆるスキュー（原稿曲がり）の突き当て補正を行う。突き当て補正終了後、原稿１は、第四搬送経路２４および第一搬送経路２１を通り、読み取り部１０にて第二画像面の画像情報が読み取られる。
【００１７】
第二画像面読み取り後、第二搬送経路２２を経て、このままの状態で排紙部１５へ排出すると、第二画像面が下向きでスタックされ、原稿のページ順狂いが生じる。第一画像面が下向きでスタックされるよう、原稿１は、第二搬送経路２２を通り切替爪１４がＢ’の位置に下降し、第三搬送経路２３を通り中間トレイ１７上に搬送された後、切替爪１４がＢの位置に復帰し、第四搬送経路２４、第一搬送経路２１、第二搬送経路２２を通って排紙部１５へ排紙される。
【００１８】
次原稿の給紙は、本体からの信号により開始されるが、このときに下降した底板４を上昇させると、上昇させる時間が必要になるため、生産性を落とさないように、次原稿の給紙に備えて底板４を上昇させる。原稿排出動作時、原稿先端が、第四搬送経路２４を通過し、レジストセンサ９にて原稿先端を検知したときに、底板４を上昇させる。
【００１９】
底板４上昇のタイミングは、原稿１の後端が呼び出し部材５を通り抜けてから次原稿給紙開始までの間に上昇させておけばよいが、上昇による振動を与えないよう、画像読み取り時以外のときに設定する。
図２に、本発明の自動原稿給送部３２を開放したときの斜視図を示す。
図２に示すように、自動原稿給送部３２には、原稿ガイド部材４０が取り付けられ、本体３１には、コンタクトガラス４１およびコンタクトガラス４１の前後に位置決めガイド部材４２が取り付けられている。
【００２０】
自動原稿給送部３２を閉じたときは、原稿ガイド部材４０の前後端が、本体３１のコンタクトガラス４１の前後に位置する位置決めガイド部材４２によって位置決めされる。
図３に、本発明の自動原稿給送部３２の原稿ガイド部材４０の取り付け部分を示す。
【００２１】
図３に示すように、原稿ガイド部材４０は、自動原稿給送部３２の前後側板から突き出た軸によって固定されるが、搬送方向と上下に稼働できるように、軸径に対し原稿ガイド部材４０の穴は、大きくなっている。原稿ガイド部材４０は、図示しない板バネまたはスプリングにより、下方に押し圧を与えられている。
図４，図５，図６に、本発明の自動原稿給送部３２の原稿ガイド部材４０と本体３１に取り付けられた位置決めガイド部材４２の形状例を示す。
【００２２】
図４に示すように、自動原稿給送部３２を閉じたとき、原稿ガイド部材４０は下方に押し圧が与えられているため、位置決めガイド部材４２の形状に沿って、正確に位置決めされる。
図５に示す例の場合には、自動原稿給送部３２を閉じたとき、原稿ガイド部材４０は下方に押し圧が与えられているため、位置決めガイド部材４２の形状が原稿ガイド部材４０の形状と同じであるので、位置決めガイド部材４２の形状に沿って、正確に位置決めが行われる。
【００２３】
図６に示す例の場合にも、自動原稿給送部３２を閉じたとき、原稿ガイド部材４０は下方に押し圧が与えられており、位置決めガイド部材４２の形状が原稿ガイド部材４０の形状と同じであるので、位置決めガイド部材４２の形状に沿って、正確に位置決めが行われる。
図７に、本発明の本体３１に取り付けられる位置決めガイド部材４２の形状例を示す。
【００２４】
図７に示すように、位置決めガイド部材４２は、画像読み取り装置本体３１に対して取り外し可能で、読み取り部のコンタクトガラス４１の固定部材になっている。
【００２５】
【発明の効果】
請求項１記載の発明によれば、自動原稿給送部の原稿ガイド部材の位置決めを行う位置決めガイド部材が、原稿読み取り部のある画像読み取り本体部にあるので、自動原稿給送部と画像読み取り本体部との位置精度に影響されることがなく、読み取り精度の良い画像読み取りを行うことができる。
【００２６】
請求項２記載の発明によれば、原稿ガイド部材と位置決めガイド部材の位置決めを行う接触部分が同じ形状をしているので、ガイドの位置決めが確実に行われ、読み取り精度の良い画像読み取りを行うことができる。
請求項３記載の発明によれば、位置決めガイド部材がコンタクトガラスを固定する固定部材であるので、原稿ガイドの位置決めとコンタクトガラスの固定との部材を兼用することができ、原稿ガイドの位置決めに専用に部品を設けることなく、安価な画像読み取り装置を提供することができる。
【図面の簡単な説明】
【図１】本発明に係る画像読み取り装置を示す構成図である。
【図２】本発明に係る原稿ガイド部材と位置決め部材の位置を示す自動原稿給送部を開放した画像読み取り装置の斜視図である。
【図３】一実施例の原稿ガイド部材の取り付け部分を示す図である。
【図４】画像読み取り装置の原稿ガイド部材と位置決めガイド部材の形状を示す断面図である。
【図５】画像読み取り装置の原稿ガイド部材と位置決めガイド部材の形状を示す断面図である。
【図６】画像読み取り装置の原稿ガイド部材と位置決めガイド部材の形状を示す断面図である。
【図７】本体とコンタクトガラスを固定するガイド部材と位置決めガイド部材を兼用した場合の固定部材を示す斜視図である。
【図８】画像読み取り時に、読み取り位置と原稿ガイド部材の最下点がずれてしまう場合の画像読み取り装置の読み取り位置での断面図である。
【図９】画像読み取り時に、読み取り位置での原稿ガイド部材の間隔が変化してしまう場合の画像読み取り装置の読み取り位置での断面図である。
【符号の説明】
１  原稿
２  原稿テーブル
３  給紙ガイド板
４  底板
５  呼び出し部材
６  給紙部材
７  分離部材
８  搬送ローラ
８ａ  搬送従動ローラ
９  レジストセンサ
１０  読み取り部
１１  中間搬送ローラ
１１ａ  中間従動ローラ
１２  排紙ローラ
１２ａ  排紙下従動ローラ
１２ｂ  排紙上従動ローラ
１３  排紙センサ
１４  切替爪
１５  排紙部
１６  反転ローラ
１６ａ  反転従動ローラ
１７  中間トレイ
１８  反転センサ
２１  第一搬送経路
２２  第二搬送経路
２３  第三搬送経路
２４  第四搬送経路
３０  画像読み取り装置
３１  本体
３２  自動原稿給送部
４０  原稿ガイド部材
４１  コンタクトガラス
４２  位置決めガイド部材
５０  原稿ガイド部材
５１  コンタクトガラス
５２  原稿
【図１】
0003585723.tif 000002
【図２】
0003585723.tif 000003
【図３】
0003585723.tif 000004
【図４】
0003585723.tif 000005
【図５】
0003585723.tif 000006
【図６】
0003585723.tif 000007
【図７】
0003585723.tif 000008
【図８】
0003585723.tif 000009
【図９】
0003585723.tif 000010